(57)【特許請求の範囲】
【請求項１】
システム帯域を構成する複数のリソースブロックがＰ個のリソースブロック毎に複数のリソースブロックグループにグループ化されるとともに、前記システム帯域内の両端に割り当てられる制御チャネルを割当可能な第１の帯域以外の第２の帯域が、複数のサブバンドに分割される無線通信システムにおいて使用される無線基地局装置であって、
非連続帯域割当対象端末装置に対して前記複数のリソースブロックを前記リソースブロックグループ単位で割り当てる割当手段と、
周波数ホッピング端末装置で前記複数のサブバンド毎に周波数ホッピングされるデータ信号を、前記第２の帯域内の前記複数のリソースブロックから抽出する抽出手段と、を具備し、
前記複数のサブバンドそれぞれの帯域幅は前記Ｐの自然数倍である、
無線基地局装置。
【請求項２】
前記割当手段は、前記複数のリソースブロックグループ間の境界のいずれかを、前記複数のサブバンド間の境界と一致させて、前記非連続帯域割当対象端末装置に対して前記複数のリソースブロックを前記リソースブロックグループ単位で割り当てる、
請求項１記載の無線基地局装置。
【請求項３】
前記割当手段は、前記複数のリソースブロックグループのいずれかの低周波数側の端の周波数位置を、前記第２の帯域の低周波数側の端の周波数位置と一致させて、前記非連続帯域割当対象端末装置に対して前記複数のリソースブロックを前記リソースブロックグループ単位で割り当てる、
請求項２記載の無線基地局装置。
【請求項４】
前記割当手段は、前記複数のリソースブロックグループのいずれかの高周波数側の端の周波数位置を、前記第２の帯域の高周波数側の端の周波数位置と一致させて、前記非連続帯域割当対象端末装置に対して前記複数のリソースブロックを前記リソースブロックグループ単位で割り当てる、
請求項２記載の無線基地局装置。
【請求項５】
前記割当手段は、前記第１の帯域のうち、前記制御チャネルが割り当てられる帯域以外の帯域を構成するリソースブロックを、前記非連続帯域割当対象端末に対して割り当てる、
請求項１記載の無線基地局装置。
【請求項６】
前記割当手段は、前記第１の帯域のうち、前記制御チャネルが割り当てられる帯域以外の帯域を構成するリソースブロックを、前記Ｐ個でグループ化されたリソースブロックグループ単位または前記Ｐ以外の個数でグループ化されたリソースブロックグループ単位で割り当てる、
請求項５記載の無線基地局装置。
【請求項７】
システム帯域を構成する複数のリソースブロックがＰ個のリソースブロック毎に複数のリソースブロックグループにグループ化されるとともに、前記システム帯域内の両端に割り当てられる制御チャネルを割当可能な第１の帯域以外の第２の帯域が、複数のサブバンドに分割される無線通信システムにおいて使用される無線通信方法であって、
非連続帯域割当対象端末装置に対して前記複数のリソースブロックを前記リソースブロックグループ単位で割り当て、
周波数ホッピング端末装置で前記複数のサブバンド毎に周波数ホッピングされるデータ信号を、前記第２の帯域内の前記複数のリソースブロックから抽出し、
前記複数のサブバンドそれぞれの帯域幅は前記Ｐの自然数倍である、
無線通信方法。
【発明の詳細な説明】
【技術分野】
【０００１】
本発明は、無線基地局装置および無線通信方法に関する。
【背景技術】
【０００２】
３ＧＰＰ  ＬＴＥ（3rd Generation Partnership Project Long Term Evolution）上り回線では、データ信号の連続帯域割当のみがサポートされている。ただし、ＬＴＥでは、無線基地局装置（以下、単に基地局という）は、無線端末装置（以下、単に端末という）が送信するデータ信号が割り当てられる送信帯域の周波数ホッピングを行うか否かを選択する。周波数ホッピングを行う場合には、端末は、データ信号が割り当てられる送信帯域をスロット間で異ならせる。このため、周波数ホッピングでは、各スロットにおいてデータ信号が連続帯域に割り当てられている場合でも、スロット間でデータ信号が割り当てられる送信帯域を異ならすことにより、周波数ダイバーシチ効果を得ることができる。【０００３】
ＬＴＥでは、基地局は、周波数ホッピングが適用される帯域を決定するためのオフセットを端末へ通知する。ＬＴＥでは、このオフセットとしては、例えば、システム帯域のうち制御チャネル（例えば、ＰＵＣＣＨ（Physical Uplink Control CHannel））が割り当てられる帯域の帯域幅が設定される。ここで、ＰＵＣＣＨ等の制御チャネルは、システム帯域内の両端に設定される。そこで、端末は、システム帯域の両端からオフセットで示される周波数帯域を取り除いた周波数帯域を、周波数ホッピングが適用される帯域として決定する。また、基地局から通知される分割数に関する情報（サブバンド情報）に基づいて、周波数ホッピングが適用される帯域が複数のサブバンドに分割される。そして、端末は、複数のサブバンド毎にデータ信号の送信帯域を周波数ホッピングする。なお、送信帯域を周波数ホッピングさせるホッピングパターンは、長区間（例えば、フレーム単位）で定義されており、かつ、異なるセル間では、周波数ホッピングのホッピングパターンは互いに異なる。【０００４】
一方、ＬＴＥの発展形であるＬＴＥ−Ａ（LTE-Advanced）上り回線では、周波数スケジューリング効果を高めるために、データ信号の非連続帯域割当のサポートが検討されている。データ信号の非連続帯域割当は、ＬＴＥ下り回線では既に適用されており、ＬＴＥ下り回線では、非連続帯域割当時のリソースブロック（ＲＢ：Resource Block）割当通知をビットマップで通知するＴｙｐｅ０割当が用いられている（例えば、非特許文献１参照）。Ｔｙｐｅ０割当では、ＲＢ割当通知のシグナリング量を抑えることができるため、ＬＴＥ−Ａ上り回線でも、非連続帯域割当時のＲＢ割当通知にＴｙｐｅ０割当を流用することが有力である。【０００５】
Ｔｙｐｅ０割当では、例えば、システム帯域を構成する複数のＲＢがＰ個の連続するＲＢ毎に複数のＲＢグループ（ＲＢＧ：Resource Block Group）にグループ化される。そして、基地局は、各端末に対して、リソースを割り当てるか否か示すシグナリングビット（１または０）をＲＢＧ単位で設定する。例えば、基地局は、ある端末の送信帯域として割り当てるＲＢＧのシグナリングビットを１に設定し、ある端末の送信帯域として割り当てないＲＢＧのシグナリングビットを０に設定する。そして、基地局は、各ＲＢＧのシグナリングビットから構成されるビットマップを各端末へ通知する。一方、端末は、受信したビットマップにおいて、シグナリングビットが１のＲＢＧ内のＰ個のＲＢが自端末の送信帯域として割り当てられ、シグナリングビットが０のＲＢＧ内のＰ個のＲＢが自端末の送信帯域として割り当てられないと判断する。【０００６】
なお、ＬＴＥ下り回線では、図１に示すように、１つのＲＢＧに含まれるＲＢ数（以下、ＲＢＧサイズという）（＝Ｐ）は、システム帯域の帯域幅毎に依存して変わる。図１に示すように、システム帯域の帯域幅が大きいほど、ＲＢＧサイズＰはより大きくなる。
【先行技術文献】
【非特許文献】
【０００７】
【非特許文献１】7.1.6 TS36.213 v8.7.0“3GPP TSG RAN; Evolved Universal Terrestrial Radio Access(E-UTRA); Physical layer procedures
【発明の概要】
【発明が解決しようとする課題】
【０００８】
しかしながら、１つのシステム内において、周波数ホッピングおよびＴｙｐｅ０割当の双方を用いる場合、周波数ホッピングを行う端末（以下、周波数ホッピング端末という）がＴｙｐｅ０割当における複数のＲＢＧに相当するＲＢを無駄に占有してしまう場合がある。以下、具体的に説明する。以下の説明では、図２に示すように、システム帯域の帯域幅を５０ＲＢとする。【０００９】
また、基地局は、システム帯域の両端に設定されるＰＵＣＣＨ領域をそれぞれ３ＲＢとし、周波数ホッピングが適用される帯域を分割して得られるサブバンド数を４個とする。よって、図２では、基地局は、システム帯域のうち、ＰＵＣＣＨ領域以外の帯域、すなわち、周波数ホッピングが適用される帯域を、４４（＝５０ＲＢ−（３ＲＢ×２）））個のＲＢ＃３〜＃４６に設定する。また、図２に示すように、基地局は、周波数ホッピングが適用される帯域を均等に４分割して、帯域幅（サブバンド帯域幅）が１１ＲＢである４つのサブバンド＃０（ＲＢ＃３〜＃１３）、サブバンド＃１（ＲＢ＃１４〜＃２４）、サブバンド＃２（ＲＢ＃２５〜＃３５）およびサブバンド＃３（ＲＢ＃３６〜＃４６）を設定する。【００１０】
また、基地局は、ＰＵＣＣＨ領域に相当するオフセット（３ＲＢ）およびサブバンド数（４個）を含む制御情報を周波数ホッピング端末へ通知し、周波数ホッピング端末は、基地局と同様にして、図２に示す周波数ホッピングが適用される帯域（ＲＢ＃３〜＃４６）を分割して４つのサブバンド＃０〜＃３を設定する。そして、周波数ホッピング端末は、データ信号の送信帯域を隣接するサブバンドに周波数ホッピングする。具体的には、周波数ホッピング端末は、図２に示すように、データ信号の送信帯域を、送信時間単位であるスロット毎に１１ＲＢ（１サブバンド分）だけ周波数ホッピングする。【００１１】
また、図２では、Ｔｙｐｅ０割当におけるＲＢＧサイズＰを３ＲＢとする。よって、図２では、基地局、および、非連続帯域割当が行われる端末（以下、非連続帯域割当対象端末という）は、ＲＢ＃０から順に複数のＲＢをグループ化して、１６個のＲＢＧ＃０〜＃１５を設定する。なお、図２において、ＰＵＣＣＨ領域であるＲＢ＃０〜＃２を含むＲＢＧ＃０およびＲＢ＃４７を含むＲＢＧ＃１５は、非連続帯域割当対象端末のデータ信号に対して割り当てられない。つまり、基地局は、図２に示すＲＢＧ＃１〜＃１４を非連続帯域割当対象端末に割当可能なＲＢＧとする。【００１２】
例えば、図２に示すように、基地局が、周波数ホッピング前（図２に示すスロット＃１）に、周波数ホッピング端末ＵＥ＃１に対してＲＢ＃３、＃４の２ＲＢを割り当て、周波数ホッピング端末ＵＥ＃２に対してＲＢ＃３０、＃３１の２ＲＢを割り当てた場合について説明する。【００１３】
この場合、周波数ホッピング後（図２に示すスロット＃２）では、ＵＥ＃１は、ＲＢ＃３、＃４からそれぞれ１１ＲＢだけ周波数ホッピング（つまり、１サブバンド分だけ周波数ホッピング）したＲＢ＃１４、＃１５に割り当てられる。同様に、ＵＥ＃２は、ＲＢ＃３０、＃３１から１１ＲＢだけ周波数ホッピングしたＲＢ＃４１、＃４２に割り当てられる。また、ＵＥ＃１およびＵＥ＃２は、図２に示すスロット＃１およびスロット＃２の周波数ホッピングと同様にして、図２に示すスロット＃２よりも後のスロット（図示せず）でも周波数ホッピング繰り返す。つまり、ＵＥ＃１（またはＵＥ＃２）は、奇数番号のスロットでは、図２に示すスロット＃１と同様、ＲＢ＃３、＃４（またはＲＢ＃３０、＃３１）に割り当てられ、偶数番号のスロットでは、図２に示すスロット＃２と同様、ＲＢ＃１４、＃１５（またはＲＢ＃４１、＃４２）に割り当てられる。【００１４】
つまり、周波数ホッピング端末ＵＥ＃１およびＵＥ＃２により、図２に示すシステム帯域のうち、ＲＢ＃３、＃４、＃１４、＃１５、ＲＢ＃３０、＃３１、＃４１および＃４２が占有される。【００１５】
一方、基地局は、Ｔｙｐｅ０割当において、非連続帯域割当対象端末に割当可能なＲＢＧ＃１〜＃１４のうち、周波数ホッピング端末ＵＥ＃１およびＵＥ＃２に割り当てられたＲＢ＃３、＃４、＃１４、＃１５、＃３０、＃３１、＃４１および＃４２を含まないＲＢＧを用いる。具体的には、図２に示すように、基地局は、ＲＢＧ＃１〜＃１４のうち、ＲＢ＃３、＃４を含むＲＢＧ＃１、ＲＢ＃１４を含むＲＢＧ＃４、ＲＢ＃１５を含むＲＢＧ＃５、ＲＢ＃３０、＃３１を含むＲＢＧ＃１０、ＲＢ＃４１を含むＲＢＧ＃１３、ＲＢ＃４２を含むＲＢＧ＃１４を非連続帯域割当対象端末に対して割り当てることができない（割当不可）。すなわち、基地局は、図２に示すＲＢＧ＃２、＃３、＃６〜＃９、＃１１、＃１２の８ＲＢＧを非連続帯域割当対象端末に対して割り当てることができる。【００１６】
ここで、各スロットにおいて、周波数ホッピング端末ＵＥ＃１およびＵＥ＃２に割り当てられるＲＢ数はそれぞれ２個とした。なお、音声通信端末（ＶｏＩＰ端末）を想定した場合に各端末にそれぞれ割り当てられるＲＢ数は１〜３ＲＢである可能性が高い。そのため、ここでは、各端末（ＵＥ＃１およびＵＥ＃２）に割り当てられるＲＢ数として、割り当てられる可能性が高いＲＢ数（１〜３ＲＢ）の中間値である２ＲＢを想定した。この場合、各スロットにおいて、周波数ホッピング端末ＵＥ＃１およびＵＥ＃２に割り当てられるＲＢは、Ｔｙｐｅ０割当におけるＲＢＧサイズＰ（＝３ＲＢ）以下である。つまり、図２において、各周波数ホッピング端末は、Ｔｙｐｅ０割当におけるＲＢＧサイズ（＝３ＲＢ）以下の２ＲＢのみを占有する。よって、基地局は、周波数ホッピング前のスロット＃１では、Ｔｙｐｅ０割当における１ＲＢＧ（図２ではＲＢＧ＃１）内に含まれるＲＢ（図２ではＲＢ＃３、＃４）のみをＵＥ＃１に対して割り当てる。図２に示すＵＥ＃２についても同様である。【００１７】
しかしながら、図２に示すように、周波数ホッピング後のスロット＃２では、ＵＥ＃１に割り当てられたＲＢ＃１４およびＲＢ＃１５は、互いに異なるＲＢＧ＃４とＲＢＧ＃５とにそれぞれ含まれる。すなわち、図２に示すスロット２において、ＵＥ＃１に割り当てられた２つのＲＢ（ＲＢ＃１４、＃１５）は、Ｔｙｐｅ０割当における１ＲＢＧ内に収まるＲＢ数であるにも関わらず、２つのＲＢＧ（ＲＢＧ＃４、＃５）に跨って割り当てられる。図２に示すＵＥ＃２についても同様である。【００１８】
つまり、図２に示す周波数ホッピング後のスロット＃２では、各周波数ホッピング端末に対してＴｙｐｅ０割当におけるＲＢＧサイズＰ（＝３ＲＢ）以下の２ＲＢしか割り当てられないにも関わらず、２ＲＢＧに渡ってＲＢが割り当てられる。つまり、周波数ホッピング端末は、Ｔｙｐｅ０割当における複数のＲＢＧを無駄に占有してしまう。【００１９】
このようにして、周波数ホッピング端末に対して、周波数ホッピング前にＴｙｐｅ０割当における１ＲＢＧ内のＲＢに相当するＲＢが割り当てられた場合でも、周波数ホッピング後には、Ｔｙｐｅ０割当における複数のＲＢＧに相当するＲＢが割り当てられてしまう場合がある。この場合、周波数ホッピング端末が占有するＲＢによって、Ｔｙｐｅ０割当におけるＲＢＧが無駄に占有されてしまうため、Ｔｙｐｅ０割当におけるリソース割当を柔軟に行うことができなくなってしまう。【００２０】
本発明の目的は、周波数ホッピングを行う端末による、Ｔｙｐｅ０割当におけるＲＢＧの占有量を抑制し、Ｔｙｐｅ０割当におけるリソース割当を柔軟に行うことができる無線基地局装置および無線通信方法を提供することである。
【課題を解決するための手段】
【００２１】
本発明の無線基地局装置は、システム帯域を構成する複数のリソースブロックがＰ個のリソースブロック毎に複数のリソースブロックグループにグループ化されるとともに、前記システム帯域内の両端に割り当てられる制御チャネルを割当可能な第１の帯域以外の第２の帯域が、複数のサブバンドに分割される無線通信システムにおいて使用される無線基地局装置であって、非連続帯域割当対象端末装置に対して前記複数のリソースブロックを前記リソースブロックグループ単位で割り当てる割当手段と、周波数ホッピング端末装置で前記複数のサブバンド毎に周波数ホッピングされるデータ信号を、前記第２の帯域内の前記複数のリソースブロックから抽出する抽出手段と、を具備し、前記複数のサブバンドそれぞれの帯域幅は前記Ｐの自然数倍である構成を採る。【００２２】
本発明の無線通信方法は、システム帯域を構成する複数のリソースブロックがＰ個のリソースブロック毎に複数のリソースブロックグループにグループ化されるとともに、前記システム帯域内の両端に割り当てられる制御チャネルを割当可能な第１の帯域以外の第２の帯域が、複数のサブバンドに分割される無線通信システムにおいて使用される無線通信方法であって、非連続帯域割当対象端末装置に対して前記複数のリソースブロックを前記リソースブロックグループ単位で割り当てるステップと、周波数ホッピング端末装置で前記複数のサブバンド毎に周波数ホッピングされるデータ信号を、前記第２の帯域内の前記複数のリソースブロックから抽出するステップと、を具備し、前記複数のサブバンドそれぞれの帯域幅は前記Ｐの自然数倍であるようにした。
【発明の効果】
【００２３】
本発明によれば、周波数ホッピングを行う端末による、Ｔｙｐｅ０割当におけるＲＢＧの占有量を抑制し、Ｔｙｐｅ０割当におけるリソース割当を柔軟に行うことができる。
【図面の簡単な説明】
【００２４】
【図１】ＬＴＥにおけるシステム帯域の帯域幅とＴｙｐｅ０割当のＲＢＧサイズとの関係を示す図
【図２】周波数ホッピングおよびＴｙｐｅ０割当を用いる場合に、Ｔｙｐｅ０割当において割当不可となるＲＢＧを説明するための図
【図３】本発明の実施の形態１に係る基地局の構成を示すブロック図
【図４】本発明の実施の形態１に係る端末の構成を示すブロック図
【図５】本発明の実施の形態１に係るサブバンドおよびＲＢＧの設定例を示す図
【図６】周波数ホッピング端末に対して割当不可となるＲＢを説明するための図
【図７】本発明の実施の形態２に係るサブバンドおよびＲＢＧの設定例を示す図
【図８】本発明の実施の形態２に係るサブバンドおよびＲＢＧのその他の設定例を示す図
【図９】本発明の実施の形態２に係るサブバンドおよびＲＢＧのその他の設定例を示す図
【図１０】本発明の実施の形態２に係るサブバンドおよびＲＢＧのその他の設定例を示す図
【図１１】本発明の実施の形態２に係るサブバンドおよびＲＢＧのその他の設定例を示す図
【図１２】本発明の実施の形態３に係るサブバンドおよびＲＢＧの設定例を示す図
【図１３】本発明の実施の形態３に係るサブバンドおよびＲＢＧのその他の設定例を示す図
【発明を実施するための形態】
【００２５】
以下、本発明の実施の形態について、図面を参照して詳細に説明する。
【００２６】
本発明に係る通信システムでは、連続帯域に割り当てられたデータ信号（上り回線データ）の送信帯域を周波数ホッピングする端末（周波数ホッピング端末）、および、データ信号（上り回線データ）が非連続帯域に割り当てられる端末（非連続帯域割当対象端末）が混在する。
【００２７】
また、以下の説明では、システム帯域を構成する複数のＲＢがＰ個のＲＢ毎に複数のＲＢＧにグループ化される。そして、基地局は、例えば、Ｔｙｐｅ０割当のように、非連続帯域割当対象端末に対して複数のＲＢをＲＢＧ単位で割り当て、データ信号の送信を行うためのＲＢＧが割り当てられたか否かを示すシグナリングビット（１または０）を示すリソース割当情報を各端末へ通知する場合を一例として説明する。
【００２８】
また、基地局は、周波数ホッピング端末に対して、周波数ホッピングが適用される帯域を決定するためのオフセットを通知する。ここで、周波数ホッピングは、システム帯域のうち、ＰＵＣＣＨ等の制御チャネルの割当が可能な帯域（以下、ＰＵＣＣＨ割当可能領域という）以外の帯域で適用される。そこで、以下の説明では、周波数ホッピングが適用される帯域を決定するためのオフセットは、ＰＵＣＣＨ割当可能領域と同一の帯域幅に設定される。また、周波数ホッピングが適用される帯域は複数のサブバンドに均等に分割される。そして、周波数ホッピング端末は、データ信号の送信帯域を複数のサブバンド毎に周波数ホッピングする。すなわち、サブバンドは、データ信号の送信帯域が周波数ホッピングされる際の最小単位の周波数間隔である。
【００２９】
（実施の形態１）
本発明の実施の形態に係る基地局１００の構成について、図３を用いて説明する。
【００３０】
図３に示す基地局１００において、符号化部１０１には、送信データ（下り回線データ）が入力される。また、符号化部１０１には、誤り検出部１１７から応答信号（ＡＣＫ（Acknowledgment）信号またはＮＡＣＫ（Negative Acknowledgment）信号）、スケジューリング部１１０から各端末に割り当てられたＲＢを示すリソース割当情報、周波数ホッピングが適用される帯域に関する情報を示すホッピング情報およびＭＣＳ（Modulation Coding Schemes）等の制御情報が入力される。そして、符号化部１０１は、送信データおよび制御情報を符号化し、符号化データを変調部１０２に出力する。
【００３１】
変調部１０２は、符号化データを変調し、変調信号を送信ＲＦ（Radio Frequency）部１０３に出力する。
【００３２】
送信ＲＦ部１０３は、変調信号にＤ／Ａ変換、アップコンバート、増幅等の送信処理を施し、送信処理を施した信号をアンテナ１０４から各端末へ無線送信する。
【００３３】
受信ＲＦ部１０５は、アンテナ１０４を介して受信した信号にダウンコンバート、Ａ／Ｄ変換等の受信処理を施し、受信処理を施した信号を分離部１０６に出力する。
【００３４】
分離部１０６は、受信ＲＦ部１０５から入力される信号をパイロット信号とデータ信号とに分離する。そして、分離部１０６は、パイロット信号をＤＦＴ（Discrete Fourier Transform）部１０７に出力し、データ信号をＤＦＴ部１１１に出力する。
【００３５】
ＤＦＴ部１０７は、分離部１０６から入力されるパイロット信号にＤＦＴ処理を施し、時間領域から周波数領域の信号に変換する。そして、ＤＦＴ部１０７は、周波数領域に変換したパイロット信号をデマッピング部１０８に出力する。
【００３６】
デマッピング部１０８は、スケジューリング部１１０から入力される情報に基づいて、ＤＦＴ部１０７から入力される周波数領域のパイロット信号から各端末の送信帯域に対応した部分のパイロット信号を抽出する。そして、デマッピング部１０８は、抽出した各パイロット信号を伝搬路推定部１０９に出力する。
【００３７】
伝搬路推定部１０９は、デマッピング部１０８から入力されるパイロット信号に基づいて、チャネルの周波数変動（チャネルの周波数応答）の推定値および受信品質の推定値を推定する。そして、伝搬路推定部１０９は、チャネルの周波数変動の推定値を周波数領域等化部１１３に出力し、受信品質の推定値をスケジューリング部１１０に出力する。
【００３８】
スケジューリング部１１０は、設定部１１０１および割当部１１０２を具備する。スケジューリング部１１０の設定部１１０１は、システム帯域のうち、ＰＵＣＣＨ等の制御チャネルが割り当てられる可能性があるＰＵＣＣＨ割当可能領域、および、周波数ホッピングが適用される帯域を構成する複数のサブバンドの数を設定する。ここで、設定部１１０１は、周波数ホッピングが適用される帯域を分割して得られるサブバンドの帯域幅がＴｙｐｅ０割当におけるＲＢＧサイズＰの自然数倍となるように、ＰＵＣＣＨ割当可能領域およびサブバンド数を設定する。そして、設定部１１０１は、ＰＵＣＣＨ割当可能領域およびサブバンド数に基づいて、周波数ホッピングが適用される帯域、および、サブバンドの帯域幅を決定する。そして、設定部１１０１は、周波数ホッピングが適用される帯域、および、サブバンドの帯域幅を示す情報をデマッピング部１０８およびデマッピング部１１２に出力する。また、設定部１１０１は、設定したＰＵＣＣＨ割当可能領域の帯域幅に相当するオフセット、および、サブバンド数を含むホッピング情報を生成し、生成したホッピング情報を符号化部１０１に出力する。
【００３９】
スケジューリング部１１０の割当部１１０２は、伝搬路推定部１０９から入力される受信品質の推定値を用いて各端末にＲＢを割り当てる。具体的には、割当部１１０２は、周波数ホッピング端末に対して、設定部１１０１で決定された、周波数ホッピングが適用される連続帯域を構成するいずれかのＲＢを割り当てる。また、割当部１１０２は、非連続帯域割当対象端末装置に対して、システム帯域を構成する複数のＲＢをＲＢＧ単位で割り当てる。なお、割当部１１０２は、周波数ホッピングしない端末に対してもＲＢを割り当てる。そして、割当部１１０２は、各端末に割り当てられたＲＢを示す各端末の割当ＲＢの情報を、デマッピング部１０８およびデマッピング部１１２に出力する。また、割当部１１０２は、割当ＲＢの情報を示すリソース割当情報を生成し、生成したリソース割当情報を符号化部１０１に出力する。例えば、割当部１１０２は、非連続帯域割当対象端末に対しては、割当ＲＢを含むＲＢＧが送信帯域に割り当てられたか否かを示すシグナリングビット（１または０）を立てたビットマップを、リソース割当情報として生成する。
【００４０】
一方、ＤＦＴ部１１１は、分離部１０６から入力されるデータ信号にＤＦＴ処理を施し、時間領域から周波数領域の信号に変換する。そして、ＤＦＴ部１１１は、周波数領域に変換したデータ信号をデマッピング部１１２に出力する。
【００４１】
デマッピング部１１２は、スケジューリング部１１０から入力される情報に基づいて、ＤＦＴ部１１１から入力される信号から各端末の送信帯域に対応した部分のデータ信号を抽出する。例えば、デマッピング部１１２は、スケジューリング部１１０から入力される、周波数ホッピングが適用される帯域、および、サブバンドの帯域幅を示す情報に基づいて、周波数ホッピング端末で複数のサブバンド毎に周波数ホッピングされたデータ信号を、周波数ホッピングが適用される帯域内の複数のＲＢから抽出する。または、デマッピング部１１２は、スケジューリング部１１０から入力される割当ＲＢの情報に基づいて、非連続帯域割当対象端末から送信されるデータ信号を、システム帯域内の複数のＲＢからＲＢＧ単位で抽出する。そして、デマッピング部１１２は、抽出した各信号を周波数領域等化部１１３に出力する。
【００４２】
周波数領域等化部１１３は、伝搬路推定部１０９から入力されるチャネルの周波数変動の推定値を用いて、デマッピング部１１２から入力されるデータ信号に等化処理を施し、等化処理後の信号をＩＦＦＴ（Inverse Fast Fourier Transform）部１１４に出力する。
【００４３】
ＩＦＦＴ部１１４は、周波数領域等化部１１３から入力されるデータ信号にＩＦＦＴ処理を施し、ＩＦＦＴ処理後の信号を復調部１１５に出力する。
【００４４】
復調部１１５は、ＩＦＦＴ部１１４から入力される信号に復調処理を施し、復調処理後の信号を復号部１１６に出力する。
【００４５】
復号部１１６は、復調部１１５から入力される信号に復号処理を施し、復号処理後の信号（復号ビット列）を誤り検出部１１７に出力する。
【００４６】
誤り検出部１１７は、復号部１１６から入力される復号ビット列に対して誤り検出を行う。例えば、誤り検出部１１７は、ＣＲＣ（Cyclic Redundancy Check）を用いて誤り検出を行う。誤り検出部１１７は、誤り検出の結果、復号ビットに誤りが有る場合には応答信号としてＮＡＣＫ信号を生成し、復号ビットに誤りが無い場合には応答信号としてＡＣＫ信号を生成する。そして、誤り検出部１１７は、生成した応答信号を符号化部１０１に出力する。また、誤り検出部１１７は、復号ビットに誤りが無い場合は、データ信号を受信データとして出力する。
【００４７】
次に、本発明の実施の形態に係る端末２００の構成について、図４を用いて説明する。
【００４８】
図４に示す端末２００において、受信ＲＦ部２０２は、アンテナ２０１を介して受信した基地局１００（図３）からの信号にダウンコンバート、Ａ／Ｄ変換等の受信処理を施し、受信処理を施した信号を復調部２０３に出力する。
【００４９】
復調部２０３は、受信ＲＦ部２０２から入力される信号に等化処理および復調処理を施し、これら処理後の信号を復号部２０４に出力する。
【００５０】
復号部２０４は、復調部２０３から入力される信号に復号処理を施し、受信データおよび制御情報を抽出する。ここで、制御情報には、応答信号（ＡＣＫ信号又はＮＡＣＫ信号）、リソース割当情報、ホッピング情報、ＭＣＳ情報等が含まれる。復号部２０４は、抽出した制御情報のうち、リソース割当情報およびホッピング情報を割当ＲＢ決定部２０８に出力し、ＭＣＳ情報等を符号化部２０６および変調部２０７に出力する。
【００５１】
ＣＲＣ部２０５には、送信データが入力される。そして、ＣＲＣ部２０５は、入力される送信データに対してＣＲＣ符号化を行ってＣＲＣ符号化データを生成し、生成したＣＲＣ符号化データを符号化部２０６に出力する。
【００５２】
符号化部２０６は、復号部２０４から入力されるＭＣＳ情報等の制御情報に基づいて、ＣＲＣ部２０５から入力されるＣＲＣ符号化データを符号化し、得られた符号化データを変調部２０７に出力する。
【００５３】
変調部２０７は、復号部２０４から入力されるＭＣＳ情報等の制御情報に基づいて、符号化部２０６から入力される符号化データを変調し、変調後のデータ信号をＲＢ割当部２０９に出力する。
【００５４】
割当ＲＢ決定部２０８は、自端末に対するリソース割当が連続帯域割当の場合（つまり、端末２００が周波数ホッピング端末の場合）、復号部２０４から入力されるホッピング情報に含まれる、オフセット（ＰＵＣＣＨ割当可能領域に相当）およびサブバンド数に基づいて、周波数ホッピングを適用する帯域、および、周波数ホッピングを適用する帯域を分割して得られる複数のサブバンドの帯域幅を決定する。そして、割当ＲＢ決定部２０８は、送信時間単位であるスロット毎に、復号部２０４から入力されるリソース割当情報に示されるＲＢ（データ信号の送信帯域）を複数のサブバンド毎に周波数ホッピングすることにより、自端末の送信帯域として割り当てられたＲＢ（割当ＲＢ）を決定する。そして、割当ＲＢ決定部２０８は、決定したＲＢを示す割当ＲＢ情報をＲＢ割当部２０９に出力する。
【００５５】
これに対して、割当ＲＢ決定部２０８は、自端末に対するリソース割当が非連続帯域割当の場合（つまり、端末２００が非連続帯域割当対象端末の場合）、復号部２０４から入力されるリソース割当情報（ビットマップ）に基づいて、自端末に割り当てられたＲＢ（割当ＲＢ）を決定する。具体的には、割当ＲＢ決定部２０８は、リソース割当情報に示されるビットマップにおいて、シグナリングが１のＲＢＧに含まれるＲＢを、自端末の送信帯域として割り当てられたＲＢとして決定する。そして、割当ＲＢ決定部２０８は、決定したＲＢを示す割当ＲＢ情報をＲＢ割当部２０９に出力する。
【００５６】
ＲＢ割当部２０９は、変調部２０７から入力されるデータ信号にＤＦＴ処理を施し、時間領域から周波数領域の信号に変換する。そして、ＲＢ割当部２０９は、割当ＲＢ決定部２０８から入力される割当ＲＢ情報に基づいて、ＤＦＴ処理後のデータ信号をＲＢに割り当てる。そして、ＲＢ割当部２０９は、ＲＢに割り当てられたデータ信号にＩＦＦＴ処理を施し、ＩＦＦＴ処理後のデータ信号を多重化部２１０に出力する。
【００５７】
多重化部２１０は、パイロット信号とＲＢ割当部２０９から入力されるデータ信号とを時間多重し、送信ＲＦ部２１１に出力する。
【００５８】
送信ＲＦ部２１１は、多重化部２１０から入力される多重信号にＤ／Ａ変換、アップコンバート、増幅等の送信処理を施し、送信処理を施した信号をアンテナ２０１から基地局１００（図３）へ無線送信する。
【００５９】
次に、本実施の形態に係る基地局１００（図３）および端末２００（図４）の動作について詳細に説明する。
【００６０】
以下の説明では、図５に示すように、システム帯域の帯域幅を５０ＲＢ（例えば、１０ＭＨｚ）とする。また、図５において、システム帯域の両端の３ＲＢをそれぞれＰＵＣＣＨ領域とする。また、Ｔｙｐｅ０割当におけるＲＢＧサイズＰを３ＲＢとする。
【００６１】
よって、図５では、ＲＢ＃０から順に複数のＲＢがＰ個毎にＲＢＧ＃０〜＃１５にグループ化される。ただし、ＲＢＧ＃０、＃１５は、ＰＵＣＣＨ領域を構成するＲＢを含むため非連続帯域割当対象端末のデータ信号に対して割り当てられない。つまり、基地局１００は、図５に示すＲＢＧ＃１〜＃１４を非連続帯域割当対象端末に割当可能なＲＢＧとする。
【００６２】
ここで、基地局１００のスケジューリング部１１０の設定部１１０１は、周波数ホッピングが適用される帯域を分割して生成される複数のサブバンドの帯域幅がＲＢＧサイズＰの自然数倍となるように、ＰＵＣＣＨ割当可能領域およびサブバンド数を設定する。
【００６３】
例えば、設定部１１０１は、ＰＵＣＣＨ割当可能領域を７ＲＢに設定し、サブバンド数を４個に設定する。そして、設定部１１０１は、ＰＵＣＣＨ割当可能領域７ＲＢおよびサブバンド数４個に基づいて、周波数ホッピングが適用される帯域および各サブバンドの帯域幅を設定する。
【００６４】
具体的には、図５に示すように、設定部１１０１は、まず、システム帯域（５０ＲＢ）内の両端７ＲＢ（ＲＢ＃０〜＃６およびＲＢ＃４３〜＃４９）を、ＰＵＣＣＨ割当可能領域に設定する。よって、設定部１１０１は、図５に示すように、システム帯域（５０ＲＢ）のうち、ＰＵＣＣＨ割当可能領域以外の帯域、つまり、ＲＢ＃７〜＃４２の３６ＲＢ（＝５０ＲＢ−（７ＲＢ×２））個のＲＢを周波数ホッピングが適用される帯域をとして設定する。また、サブバンド数が４個であるので、設定部１１０１は、周波数ホッピングが適用される帯域（３６ＲＢ）を、帯域幅（サブバンド帯域幅）９ＲＢ（＝３６ＲＢ／４個）の４個のサブバンド＃０〜＃３に均等に分割する。これにより、サブバンド＃０〜＃３の各帯域幅（９ＲＢ）は、ＲＢＧサイズＰ（３ＲＢ）の自然数倍（３倍）となる。
【００６５】
なお、端末２００（図４）の割当ＲＢ決定部２０８は、自端末のリソース割当が連続帯域割当の場合（端末２００が周波数ホッピング端末の場合）、設定部１１０１と同様にして、基地局１００から通知されるオフセット（ＰＵＣＣＨ割当可能領域に相当、図５では７ＲＢ）およびサブバンド数（４個）を用いて、周波数ホッピングが適用される帯域（３６ＲＢ）およびサブバンドの帯域幅（９ＲＢ）を決定する。これにより、端末２００（周波数ホッピング端末）のＲＢ割当部２０９は、データ信号の送信帯域をスロット毎に１サブバンド分（図５では９ＲＢ）、つまり、Ｔｙｐｅ０割当におけるＲＢＧサイズの３倍だけ周波数ホッピングする。
【００６６】
次に、図５に示すように、基地局１００が、周波数ホッピング前（図２に示すスロット＃１）に、周波数ホッピング端末ＵＥ＃１に対してＲＢ＃３、＃４の２ＲＢを割り当て、周波数ホッピング端末ＵＥ＃２に対してＲＢ＃３０、＃３１の２ＲＢを割り当てた場合について説明する。
【００６７】
この場合、周波数ホッピング後（図５に示すスロット＃２）では、ＵＥ＃１は、ＲＢ＃９、＃１０からそれぞれ９ＲＢだけ周波数ホッピング（つまり、１サブバンド分だけ周波数ホッピング）したＲＢ＃１８、＃１９に割り当てられる。同様に、ＵＥ＃２は、ＲＢ＃２７、＃２８から９ＲＢだけ周波数ホッピングしたＲＢ＃３６、＃３７に割り当てられる。また、ＵＥ＃１およびＵＥ＃２は、図５に示すスロット＃１および図５に示すスロット＃２と同様にして、図５に示すスロット＃２よりも後のスロット（図示せず）でも周波数ホッピングを繰り返す。
【００６８】
つまり、周波数ホッピング端末ＵＥ＃１およびＵＥ＃２により、図５に示すシステム帯域のうち、ＲＢ＃９、＃１０、＃１８、＃１９、ＲＢ＃２７、＃２８、＃３６および＃３７が占有される。
【００６９】
よって、基地局１００の割当部１１０２は、Ｔｙｐｅ０割当において、非連続帯域割当対象端末に割当可能なＲＢＧ＃１〜＃１４のうち、周波数ホッピング端末ＵＥ＃１およびＵＥ＃２に割り当てられたＲＢ＃９、＃１０、＃１８、＃１９、＃２７、＃２８、＃３６および＃３７を含まないＲＢＧ（つまり、ＲＢＧ＃３、＃６、＃９、＃１２以外のＲＢＧ）を用いる。すなわち、割当部１１０２は、図５に示すＲＢＧ＃１、＃２、＃４、＃５、＃７、＃８、＃１０、＃１１、＃１３および＃１４の１０ＲＢＧを非連続帯域割当対象端末に対して割り当てることができる。
【００７０】
ここで、周波数ホッピング端末ＵＥ＃１およびＵＥ＃２が送信するデータ信号の送信帯域（各端末に対して各スロットあたり２ＲＢ）は、図５に示すように、周波数ホッピングの前後のいずれにおいても、Ｔｙｐｅ０割当における１ＲＢＧのみを占有する。例えば、ＵＥ＃１は、図５に示すスロット＃１（周波数ホッピング前）ではＲＢＧ＃３に含まれるＲＢ＃９、＃１０のみを占有し、図５に示すスロット＃２（周波数ホッピング後）でもＲＢＧ＃６に含まれるＲＢ＃１８、＃１９のみを占有する。図５に示すＵＥ＃２についても同様である。
【００７１】
すなわち、周波数ホッピング後において、周波数ホッピング端末に割り当てられるＲＢは、複数のＲＢＧに跨って割り当てられることがなくなる。これにより、周波数ホッピング端末に割り当てられたＲＢによる、Ｔｙｐｅ０割当におけるＲＢＧの占有量を抑制することができる。よって、基地局１００では、Ｔｙｐｅ０割当において非連続帯域割当対象端末に対して割当可能なＲＢＧをより多く確保することができる。つまり、基地局１００では、Ｔｙｐｅ０割当のリソース割当の柔軟性を向上させることができる。
【００７２】
このように、本実施の形態では、周波数ホッピングにおけるサブバンドの帯域幅はＴｙｐｅ０割当におけるＲＢＧサイズの自然数倍とする。つまり、周波数ホッピング前後にデータ信号が割り当てられる送信帯域の周波数間隔は、ＲＢＧサイズの自然数倍となる。これにより、周波数ホッピング前において１ＲＢＧのみを占有するように割り当てられたデータ信号は、周波数ホッピング後においても１ＲＢＧのみを占有して割り当てられる。
【００７３】
換言すると、Ｔｙｐｅ０割当におけるＲＢＧのＲＢ構成はサブバンド間で同一構成となる。具体的には、図５に示すサブバンド＃０は、Ｔｙｐｅ０割当におけるＲＢＧ＃２の後半２ＲＢ（ＲＢ＃７，＃８）、ＲＢＧ＃３、＃４それぞれの全３ＲＢ（ＲＢ＃９〜＃１４）およびＲＢＧ＃５の前半１ＲＢ（ＲＢ＃１５）の９ＲＢで構成される。同様に、図５に示すサブバンド＃１は、Ｔｙｐｅ０割当におけるＲＢＧ＃５の後半２ＲＢ（ＲＢ＃１６，＃１７）、ＲＢＧ＃６、＃７それぞれの全３ＲＢ（ＲＢ＃１８〜＃２３）およびＲＢＧ＃８の前半１ＲＢ（ＲＢ＃２４）の９ＲＢで構成される。サブバンド＃２およびサブバンド＃３についても同様である。
【００７４】
つまり、図５に示すサブバンド＃０〜＃３をそれぞれ構成する９ＲＢは、Ｔｙｐｅ０割当では４ＲＢＧに渡る９ＲＢに相当する。さらに、各サブバンドを構成する９ＲＢ内の４ＲＢＧそれぞれのＲＢの内訳は、先頭ＲＢＧ（ＲＢＧ番号が小さいＲＢＧ）から順に［後半２ＲＢ、全３ＲＢ、全３ＲＢ、前半１ＲＢ］となる。つまり、周波数ホッピングが適用される帯域（図５ではＲＢ＃７〜ＲＢ＃４２）は、４ＲＢＧに渡る９ＲＢの構成（内訳が［後半２ＲＢ、全３ＲＢ、全３ＲＢ、前半１ＲＢ］）を４回（つまり、４サブバンド）繰り返した構成となる。
【００７５】
これにより、データ信号の送信帯域が複数のサブバンド毎に周波数ホッピング（図５では１サブバンド分（９ＲＢ）だけ周波数ホッピング）されても、周波数ホッピング前にデータ信号が割り当てられるＲＢＧ内のＲＢの位置と、周波数ホッピング後にデータ信号が割り当てられるＲＢＧ内のＲＢの位置とが同一となる。換言すると、周波数ホッピング前後にデータ信号が割り当てられるＲＢの位置は、Ｔｙｐｅ０割当において、自然数個（図５では３個）だけ離れた２つのＲＢＧ内の同一位置となる。例えば、図５では、ＵＥ＃１のデータ信号が割り当てられるＲＢの位置は、ＲＢＧ＃３と、ＲＢＧ＃３から３個だけ離れたＲＢＧ＃６の２つのＲＢＧ内の前半２ＲＢ（ＲＢＧ＃３内のＲＢ＃９、＃１０、および、ＲＢＧ＃６内のＲＢ＃１８、＃１９）となる。よって、周波数ホッピング前において１ＲＢＧのみを占有するように割り当てられたデータ信号は、周波数ホッピング後においても１ＲＢＧのみを占有して割り当てられる。これにより、周波数ホッピング前に周波数ホッピング端末に対して、Ｔｙｐｅ０割当における１ＲＢＧ内にＲＢが割り当てられる場合には、周波数ホッピング後においても複数のＲＢＧに跨ることなく、ＲＢＧの占有量を抑制することができる。
【００７６】
このように、本実施の形態によれば、周波数ホッピングにおけるサブバンドの帯域幅は、Ｔｙｐｅ０割当におけるＲＢＧサイズの自然数倍となる。これにより、Ｔｙｐｅ０割当におけるＲＢＧの構成がサブバンド間で同一となる。つまり、周波数ホッピング前後に１つの周波数ホッピング対象端末に割り当てられるＲＢは、Ｔｙｐｅ０割当において自然数個だけ離れたＲＢＧ内の同一位置のＲＢに相当する。このため、周波数ホッピング端末に対して、１ＲＢＧ内のＲＢのみが周波数ホッピング前に割り当てられた場合には、周波数ホッピング後においても１ＲＢＧ内のＲＢのみが必ず割り当てられる。すなわち、１ＲＢＧ内のＲＢのみが周波数ホッピング前に割り当てられれば、周波数ホッピング後において複数のＲＢＧに跨ってＲＢが割り当てられることは無い。よって、本実施の形態によれば、周波数ホッピング端末による、Ｔｙｐｅ０割当におけるＲＢＧの占有量を抑制して、Ｔｙｐｅ０割当におけるリソース割当を柔軟に行うことができる。
【００７７】
（実施の形態２）
上述した周波数ホッピングが適用される帯域において、周波数ホッピング前に複数のサブバンドに跨って１つの周波数ホッピング端末が割り当てられると、周波数ホッピング後では、その周波数ホッピング端末が非連続な送信帯域に割り当てられてしまうことがある。例えば、上述した図５において、周波数ホッピング端末のデータ信号がＲＢ＃３３（サブバンド＃２）、ＲＢ＃３４（サブバンド＃３）、ＲＢ＃３５（サブバンド＃３）の連続する３ＲＢに割り当てられたとする。このとき、周波数ホッピング端末が１サブバンド分（９ＲＢ）だけ周波数ホッピングすると、周波数ホッピング後には、周波数ホッピング端末のデータ信号は、ＲＢ＃４２（サブバンド＃３）、ＲＢ＃７（サブバンド＃０）、ＲＢ＃８（サブバンド＃０）の非連続な３ＲＢに割り当てられる。しかしながら、ＬＴＥの仕様上、データ信号の非連続割当を行うことができない。このため、周波数ホッピング端末には、複数のサブバンドに跨ってデータ信号を割り当てないという制約（サブバンドに関する制約）が必要となる。
【００７８】
また、実施の形態１（図５）では、周波数ホッピング端末に対して、周波数ホッピング前に、Ｔｙｐｅ０割当における１ＲＢＧ内のＲＢのみが割り当てられる場合（つまり、複数のＲＢＧに跨ってＲＢが割り当てられない場合）には、周波数ホッピング後でもＴｙｐｅ０割当における１ＲＢＧ内のＲＢのみが割り当てられる。ただし、周波数ホッピング端末に対して、周波数ホッピング前に、Ｔｙｐｅ０割当における複数のＲＢＧに跨ってＲＢが割り当てられる場合には、周波数ホッピング後でもＴｙｐｅ０割当における複数のＲＢＧに跨ってＲＢが割り当てられてしまう。つまり、実施の形態１では、周波数ホッピング端末には、周波数ホッピング前において複数のＲＢＧに跨ってデータ信号を割り当てないという制約（ＲＢＧに関する制約）が必要となる。
【００７９】
よって、上述したサブバンドに関する制約およびＲＢＧに関する制約の双方を考慮すると、周波数ホッピング端末に対して割当可能なＲＢは、図６に示す一部のＲＢのみに限定されてしまう。具体的には、図６に示すように、周波数ホッピング前に、周波数ホッピング端末のデータ信号の送信帯域としてＸ（Ｘ＝１〜３）個のＲＢが割り当てられる場合について説明する。図６に示すように、Ｘ＝１ＲＢの場合には、上記制約を考慮することなくデータ信号が割り当てられる。
【００８０】
一方、Ｘ＝２ＲＢの場合には、サブバンド＃０と＃１との間の境界に位置し、かつ、ＲＢＧ＃４と＃５との間の境界に位置するＲＢ＃１５にデータ信号が割り当てられない。また、サブバンド＃１と＃２との間の境界に位置し、かつ、ＲＢＧ＃７と＃８との間の境界に位置するＲＢ＃２４、および、サブバンド＃２と＃３との間の境界に位置し、かつ、ＲＢＧ＃１０と＃１１との間の境界に位置するＲＢ＃３３についても同様である。また、サブバンド＃３の最後尾に位置し、かつ、ＲＢＧ＃１３と＃１４との間の境界に位置するＲＢ＃４２にもデータ信号が割り当てられない。
【００８１】
また、Ｘ＝３ＲＢの場合には、１サブバンドを構成する、Ｔｙｐｅ０割当における４ＲＢＧに渡る９ＲＢ［後半２ＲＢ、全３ＲＢ、全３ＲＢ、前半１ＲＢ］のうち、両端のＲＢＧにデータ信号が割り当てられない。つまり、周波数ホッピング端末に対して、図６に示すサブバンド＃０ではＲＢＧ＃３、＃４に対応するＲＢ＃９〜＃１４のみが割当可能となり、サブバンド＃１ではＲＢＧ＃６、＃７に対応するＲＢ＃１８〜＃２３のみが割当可能となる。図６に示すサブバンド＃２、＃３についても同様である。ただし、図６に示す割当可能なＲＢにおいても、周波数ホッピング端末によるＲＢＧの占有量を抑制するためには、ＲＢＧサイズ以内の割当ＲＢを複数のＲＢＧに跨って割り当てないという制約は存在する。
【００８２】
このように、周波数ホッピング端末のデータ信号に対して、複数のサブバンドに跨ることなく、かつ、Ｔｙｐｅ０割当における複数のＲＢＧに跨ることなくＲＢを割り当てる必要がある。この場合、基地局では、周波数ホッピング端末に対してＲＢを割り当てる際、周波数ホッピングが適用される帯域内で割り当てることができるＲＢが限られてしまう課題がある。
【００８３】
そこで、本実施の形態に係る基地局は、複数のＲＢＧ間の境界のいずれかを、複数のサブバンド間の境界と一致させて、非連続帯域割当対象端末装置に対して複数のＲＢをＲＢＧ単位で割り当てる。これにより、周波数ホッピング端末に対してＲＢを割り当てる際、周波数ホッピングが適用される帯域内で割り当てることができるＲＢが限定されてしまうことを防ぐ。
【００８４】
以下、本実施の形態について具体的に説明する。
【００８５】
本実施の形態に係る基地局１００（図３）において、スケジューリング部１１０の割当部１１０２は、実施の形態１と同様にして、非連続帯域割当対象端末装置に対して、システム帯域を構成する複数のＲＢをＲＢＧ単位で割り当てる。ただし、割当部１１０２は、Ｔｙｐｅ０割当における複数のＲＢＧ間の境界のいずれかを、周波数ホッピングにおける複数のサブバンド間の境界と一致させて、非連続帯域割当対象端末に対して、複数のＲＢをＲＢＧ単位で割り当てる。例えば、割当部１１０２は、複数のＲＢＧのいずれかの低周波数側（または高周波数側）の端の周波数位置を、周波数ホッピングが適用される帯域の低周波数側（または高周波数側）の端の周波数位置と一致させる。このように、割当部１１０２は、Ｔｙｐｅ０割当における複数のＲＢＧの境界と、周波数ホッピングにおける複数のサブバンドの境界とが一致するように設定された複数のＲＢＧを用いて、非連続帯域割当対象端末に対してＲＢ割当を行う。より詳細には、上記サブバンドの境界は、サブバンドの帯域幅がＲＢＧサイズＰの自然数倍となる場合を想定したサブバンドの境界とする。
【００８６】
一方、本実施の形態に係る端末２００（図４）において、割当ＲＢ決定部２０８は、実施の形態１と同様にして、自端末に対するリソース割当が非連続帯域割当の場合（つまり、端末２００が非連続帯域割当対象端末の場合）、復号部２０４から入力されるリソース割当情報（ビットマップ）に基づいて、自端末に割り当てられたＲＢ（割当ＲＢ）を決定する。ただし、割当ＲＢ決定部２０８は、本実施の形態に係る割当部１１０２と同様、Ｔｙｐｅ０割当における複数のＲＢＧ間の境界と、周波数ホッピングにおける複数のサブバンド間の境界とが一致するように設定された複数のＲＢＧを用いて割当ＲＢを決定する。より詳細には、上記サブバンドの境界は、サブバンドの帯域幅がＲＢＧサイズＰの自然数倍となる場合を想定したサブバンドの境界とする。
【００８７】
次に、本実施の形態に係る基地局１００（図３）および端末２００（図４）の動作について詳細に説明する。
【００８８】
以下の説明では、図７に示すように、システム帯域の帯域幅を実施の形態１（図５）と同様、５０ＲＢ（例えば、１０ＭＨｚ）とする。また、Ｔｙｐｅ０割当におけるＲＢＧサイズＰを３ＲＢとする。
【００８９】
また、基地局１００のスケジューリング部１１０の設定部１１０１は、実施の形態１と同様、周波数ホッピングが適用される帯域を３６ＲＢ（＝５０ＲＢ−（７ＲＢ×２））個のＲＢ（ＲＢ＃７〜＃４２）に設定する。また、設定部１１０１は、実施の形態１と同様、周波数ホッピングが適用される帯域（３６ＲＢ）を、帯域幅９ＲＢの４個のサブバンド＃０〜＃３に均等に分割する。つまり、実施の形態１と同様、図７に示すサブバンド＃０〜＃３の各帯域幅（９ＲＢ）は、ＲＢＧサイズＰ（３ＲＢ）の自然数倍（３倍）となる。
【００９０】
そこで、割当部１１０２は、まず、複数のＲＢＧ間の境界が４個のサブバンド＃０〜＃３間の境界と一致するようにＲＢＧを設定する。例えば、図７に示すように、割当部１１０２は、複数のＲＢＧのうちいずれかの低周波数側の端の周波数位置が、周波数ホッピングが適用される帯域の低周波数側の端の周波数位置（つまり、サブバンド＃１の低周波数側の端の周波数位置）と一致するようにＲＢＧの周波数位置を調整する。具体的には、図７に示すように、割当部１１０２は、ＲＢＧ＃２の低周波数側の端の周波数位置を、周波数ホッピングが適用される帯域の低周波数側の端の周波数位置であるＲＢ＃７と一致させるように、ＲＢＧの周波数位置を調整する。これにより、図７に示すように、割当部１１０２は、ＲＢ＃１〜＃４８を、ＲＢ＃１から順に３（＝Ｐ）個毎にＲＢＧ＃０〜＃１５にグループ化する。
【００９１】
これにより、図７に示すように、サブバンド＃０と＃１との間の境界は、ＲＢＧ＃４と＃５との間の境界と一致し（ＲＢ＃１５と＃１６との間）、サブバンド＃１と＃２との間の境界は、ＲＢＧ＃７と＃８との間の境界と一致し（ＲＢ＃２４と＃２５との間）、サブバンド＃２と＃３との間の境界は、ＲＢＧ＃１０と＃１１との間の境界と一致する（ＲＢ＃３３と＃３４との間）。また、図７に示すように、周波数ホッピングが適用される帯域の両端の周波数位置についても、複数のＲＢＧ間の境界のいずれか（図７では、ＲＢＧ＃１と＃２との間、および、ＲＢＧ＃１３と＃１４との間）と一致する。
【００９２】
なお、端末２００（図４）の割当ＲＢ決定部２０８は、自端末のリソース割当が非連続帯域割当の場合（端末２００が非連続帯域割当対象端末の場合）、割当部１１０２と同様にして、複数のＲＢＧ間の境界が４個のサブバンド＃０〜＃３間の境界と一致するようにＲＢＧを設定する。
【００９３】
ここで、図７では、サブバンドの帯域幅（９ＲＢ）は、実施の形態１と同様、ＲＢＧサイズＰ（３ＲＢ）の自然数倍（３倍）である。よって、複数のＲＢＧのうちいずれかの低周波数側の端の周波数位置が、周波数ホッピングが適用される帯域の低周波数側の端の周波数位置と一致する場合には、複数のサブバンド間のすべての境界は、複数のＲＢＧ間の境界のいずれかと必ず一致する。換言すると、Ｔｙｐｅ０割当におけるＲＢＧは、周波数ホッピングにおけるサブバンドに相当するＲＢに跨って設定されない。例えば、図７では、周波数ホッピングにおける各サブバンドを構成する９ＲＢは、Ｔｙｐｅ０割当における３個のＲＢＧに含まれる９ＲＢ（＝３ＲＢ×３ＲＢＧ）に相当する。
【００９４】
すなわち、複数のサブバンド間の境界と複数のＲＢＧ間の境界とを一致させることにより、上記サブバンドに関する制約が発生する箇所（例えば、図７に示すサブバンド＃０と＃１との間）を、上記ＲＢＧに関する制約が発生する箇所のいずれか（例えば、図７に示すＲＢＧ＃４と＃５との間）と必ず一致する。これにより、基地局１００は、上述したサブバンドに関する制約およびＲＢＧに関する制約がある場合でも、ＲＢＧに関する制約のみを考慮して、周波数ホッピング対象端末に対するＲＢ割当を行うことができる。
【００９５】
よって、図７に示すように、周波数ホッピング端末のデータ信号の送信帯域Ｘ（Ｘ＝１ＲＢ〜３ＲＢ）がいずれの場合でも、周波数ホッピング前に、データ信号をサブバンド内のいずれのＲＢに割り当てることが可能となる。ただし、図７に示す各サブバンド内の割当可能なＲＢにおいても、周波数ホッピング端末によるＲＢＧの占有量を抑制するためには、ＲＢＧサイズＰ（＝３ＲＢ）以内の割当ＲＢを複数のＲＢＧに跨って割り当てないという制約は存在する。
【００９６】
また、図７では、実施の形態１と同様、サブバンド＃０〜＃３の帯域幅（９ＲＢ）はＲＢＧサイズＰ（３ＲＢ）の自然数倍（３倍）である。よって、周波数ホッピング前において１ＲＢＧのみを占有するように割り当てられたデータ信号は、周波数ホッピング後においても１ＲＢＧのみを占有して割り当てられる。これにより、周波数ホッピング前に周波数ホッピング端末に対して、Ｔｙｐｅ０割当における１ＲＢＧ内にＲＢが割り当てられる場合には、実施の形態１と同様、周波数ホッピング後においても複数のＲＢＧに跨ることなく、ＲＢＧの占有量を抑制することができる。
【００９７】
このようにして、本実施の形態では、基地局および端末は、Ｔｙｐｅ０割当にける複数のＲＢＧ間の境界を、周波数ホッピングにおける複数のサブバンド間の境界と一致させる。すなわち、複数のサブバンド間のすべての境界が、複数のＲＢＧ間の境界と一致するため、基地局は、周波数ホッピング端末に対して、上述したサブバンドに関する制約を考慮せずに、ＲＢＧに関する制約のみに従って周波数ホッピングが適用される帯域内のＲＢを割り当てることができる。すなわち、周波数ホッピング端末に対して割り当てることができるＲＢの制約を少なくすることができるため、周波数ホッピング端末に対して、リソース割当を柔軟に行うことができる。さらに、本実施の形態によれば、実施の形態１と同様、周波数ホッピング端末による、Ｔｙｐｅ０割当におけるＲＢＧの占有量を抑制して、Ｔｙｐｅ０割当におけるリソース割当を柔軟に行うことができる。
【００９８】
なお、本実施の形態では、図７に示すように、ＲＢＧ＃２の低周波数側の端の周波数位置を、周波数ホッピングが適用される帯域の低周波数側の端の周波数位置であるＲＢ＃７に一致させる場合について説明した。しかし、本発明では、複数のＲＢＧ間の境界のいずれかと、複数のサブバンド間の境界（または周波数ホッピングが適用される帯域の端）のいずれかとが一致すればよい。例えば、図７において、ＲＢＧ＃５（または、ＲＢＧ＃８、＃１１）の低周波数側の端の周波数位置を、サブバンド＃１（または、サブバンド＃２、＃３）の低周波数側の端の周波数位置であるＲＢ＃１６（または、ＲＢ＃２５、＃３４）に一致させてもよい。
【００９９】
または、本発明では、複数のＲＢＧのいずれかの高周波数側の端の周波数位置を、周波数ホッピングが適用される帯域の高周波数側の端の周波数位置（または、サブバンドの高周波数側の端の周波数位置）に一致させてもよい。例えば、図７において、ＲＢＧ＃４（または、ＲＢＧ＃７、＃１０、＃１３）の高周波数側の端の周波数位置を、サブバンド＃０（または、サブバンド＃１、＃２、＃３）の高周波数側の端の周波数位置であるＲＢ＃１５（または、ＲＢ＃２４、＃３３、＃４２（なお、＃４２は周波数ホッピングが適用される帯域の高周波数側の端の周波数位置である））に一致させてもよい。
【０１００】
または、本発明では、周波数ホッピングにおけるサブバンドの数が偶数である場合には、Ｔｙｐｅ０割当における複数のＲＢＧ間の境界のいずれかをシステム帯域の中心と一致させてもよい。例えば、図８に示すように、システム帯域の帯域幅を、本実施の形態（図７）と同様、５０ＲＢ（例えば、１０ＭＨｚ）とし、Ｔｙｐｅ０割当におけるＲＢＧサイズＰを３ＲＢとし、サブバンド数を４個（つまり、偶数個）とする。このとき、基地局および端末は、本実施の形態と同様にして、周波数ホッピングにおけるサブバンド＃０〜＃３を設定する。また、基地局および端末は、Ｔｙｐｅ０割当におけるＲＢＧの境界のいずれか（図８ではＲＢＧ＃７と＃８との間）が、システム帯域の中心（図８では、ＲＢ＃２４と＃２５との間）と一致するように、ＲＢＧの周波数位置を調整する。例えば、ＬＴＥでは、周波数ホッピングが適用される帯域として、システム帯域の中心から両側に向かって同一帯域幅となる帯域を割り当てる。具体的には、図８では、システム帯域の中心から低周波数側に向かって１６ＲＢ（ＲＢ＃７〜＃２４）を割り当て、システム帯域の中心から高周波数側に向かって１６ＲＢ（ＲＢ＃２５〜＃４２）を割り当てる。よって、ＬＴＥでは、システム帯域の中心の両側に対称にサブバンドが設定され（つまり、全体で偶数のサブバンドが設定され）、システム帯域の中心にはサブバンドの境界が常に設定される。つまり、周波数ホッピングにおけるサブバンドの数が偶数である場合には、システム帯域の中心はサブバンドの境界と一致する。よって、複数のＲＢＧ間の境界のいずれかをシステム帯域の中心に一致させることは、複数のＲＢＧ間の境界のいずれかを複数のサブバンド間の境界に一致させることと等価である。この場合にも、本実施の形態と同様の効果を得ることができる。なお、サブバンド数として４個（偶数）を使用する可能性が高く、サブバンド数が偶数の場合を最適化するために、本発明では、サブバンド数が偶数の場合のみを想定して本発明のＴｙｐｅ０割当のフォーマットを設計してもよい。すなわち、基地局および端末は、サブバンド数が偶数であるか奇数であるかに関わらず、同一のＴｙｐｅ０割当のフォーマットを常に用いてもよい。例えば、サブバンド数が偶数であるか奇数であるかに関わらず、Ｔｙｐｅ０割当におけるＲＢＧの境界をシステム帯域の中心と一致させてもよい。これにより、基地局および端末は、サブバンド数に応じてＴｙｐｅ０割当に関する処理を切り替える必要がなくなる。ここで、サブバンド数が奇数である可能性は低いため、サブバンド数が奇数の場合に、上述したサブバンド数が偶数の場合に生じる効果が得られないことによるシステム全体に与える影響は少ない。
【０１０１】
また、本実施の形態では、サブバンドの帯域幅がＲＢＧサイズＰの３倍となる場合に、複数のＲＢＧ間の境界のいずれかを複数のサブバンド間の境界と一致させる場合について説明した。しかし、本発明では、サブバンドの帯域幅がＲＢＧサイズＰの３倍となる場合に限らない。例えば、基地局は、ＲＢＧサイズＰの自然数倍となるサブバンドの帯域幅のうち、システム帯域の帯域幅内で周波数ホッピングが適用される帯域が最も大きくなるようなサブバンドの帯域幅を設定しつつ、複数のＲＢＧ間の境界のいずれかを複数のサブバンド間の境界と一致させてもよい。この場合、本実施の形態と同様、Ｔｙｐｅ０割当におけるリソース割当の柔軟性を向上させることができ、さらに、周波数ホッピングによる周波数ダイバーシチ効果を最大限得ることができる。
【０１０２】
また、本実施の形態において、基地局は、ＲＢＧの周波数位置の調整により、システム帯域の両端でＲＢＧを構成できなくなったＲＢ（余りのＲＢ）が存在する場合、両端のＲＢ（余りのＲＢ群）をグループ化して１ＲＢＧとしてもよい。例えば、図７では、ＲＢ＃０および＃４９は、いずれのＲＢＧにも含まれない、余りのＲＢである。そこで、基地局は、ＲＢ＃０および＃４９を含む１つのＲＢＧを新たに設定して、他のＲＢＧ＃０〜＃１５と同様にして、ＲＢＧ単位でリソース割当を行ってもよい。これにより、基地局は、複数の余りのＲＢをＲＢＧ単位で端末へ通知することができるため、シグナリング量の増加を抑えることができる。
【０１０３】
または、基地局は、システム帯域の両端に存在する余りのＲＢを、システム帯域の両端のＲＢ毎にそれぞれ１ＲＢＧにグループ化してもよい。これにより、基地局は、システム帯域の両端の余りのＲＢを、異なるＲＢＧとして独立にリソース割当を行うことができるため、リソース割当の柔軟性をさらに向上させることができる。または、基地局は、システム帯域の両端に存在する余りのＲＢのうち、一方の端に存在するＲＢを１ＲＢＧにグループ化してＲＢＧ単位でリソース割当を行い、他方の端に存在するＲＢをＲＢＧにグループ化しないでＲＢ単位でリソース割当を行ってもよい。これにより、基地局は、一方ではＲＢＧ単位で端末へリソース割当情報を通知することでシグナリング量の増加を抑えることができ、他方ではＲＢ単位でリソース割当を行うことでリソース割当の柔軟性を向上させることができる。なお、基地局は、システム帯域の両端に存在する余りのＲＢのいずれもＲＢＧにグループ化せず、かつ、リソース割当を行わなくてもよい。ＬＴＥでは、システム帯域の両端に位置するＲＢには、ＰＵＣＣＨ領域が割り当てられる可能性が高く、リソース割当を行う可能性が低いことが考えられる。よって、システム帯域の両端に存在する余りのＲＢのいずれもリソース割当の対象外とすることでリソース割当のシグナリング量を削減することができる。
【０１０４】
また、本発明において、基地局および端末は、システム帯域を構成するＲＢ数およびＲＢＧサイズＰに基づいて、ＲＢＧの開始位置（すなわち、先頭ＲＢＧの開始位置）を決定するためのオフセット（以下、ＲＢＧ開始位置オフセットという）を算出してもよい。例えば、基地局および端末は、（（システム帯域を構成するＲＢ数／２）／ＲＢＧサイズＰ）の余りを、ＲＢＧ開始位置オフセットとする。これは、システム帯域の中心からシステム帯域の両端に向かってＲＢＧサイズＰのＲＢＧが繰り返し割り当てられ、システム帯域の両端においてＲＢＧサイズＰのＲＢＧを構成できないＲＢ（ＲＢＧサイズＰ未満のＲＢ）分（余り）がＲＢＧ開始位置オフセットに相当することを意味する。つまり、基地局および端末は、複数のＲＢＧのうち先頭ＲＢＧの開始位置を、システム帯域の先頭の周波数位置から、（（システム帯域を構成するＲＢ数の半数）／ＲＢＧサイズＰ）の余りに相当するＲＢだけずらす。具体的には、図９に示すように、システム帯域の帯域幅を５０ＲＢとし、ＲＢＧサイズＰを３ＲＢとすると、ＲＢＧ開始位置オフセットは、２５／３の余りである１ＲＢとなる。よって、基地局および端末は、図９に示すように、ＲＢＧの開始位置をシステム帯域の先頭からＲＢＧ開始位置オフセット（１ＲＢ）だけずらす。そして、基地局および端末は、ＲＢ＃１から順に３ＲＢ毎にグループ化してＲＢＧ＃０〜＃１５を設定する。この場合でも、図９に示すように、本実施の形態と同様、複数のサブバンド間のすべての境界は、複数のＲＢＧ間の境界のいずれかと一致する。なお、ＲＢＧ開始位置オフセットとして、（（（システム帯域を構成するＲＢ数の半数）／ＲＢＧサイズＰ）の余り）＋（ＲＢＧサイズＰの倍数）を用いてもよい。
【０１０５】
また、本発明では、基地局および端末は、さらに、ＰＵＣＣＨ領域を考慮して、ＲＢＧ開始位置オフセットを算出してもよい。例えば、基地局および端末は、（（（システム帯域を構成するＲＢ数−ＰＵＣＣＨ領域を構成するＲＢ数）／２）／ＲＢＧサイズＰ）の余りを、ＲＢＧ開始位置オフセットとする。これは、システム帯域の中心からシステム帯域の両端に向かってＲＢＧサイズＰのＲＢＧが繰り返し割り当てられ、システム帯域のうちＰＵＣＣＨ領域（システム帯域の両端部分）以外の帯域（システム帯域−ＰＵＣＣＨ領域）内の両端においてＲＢＧサイズＰのＲＢＧを構成できないＲＢ（ＲＢＧサイズＰ未満のＲＢ）分（余り）がＲＢＧ開始位置オフセットに相当することを意味する。つまり、基地局および端末は、複数のＲＢＧのうち先頭ＲＢＧの開始位置を、ＰＵＣＣＨ領域の周波数位置から、（（（システム帯域を構成するＲＢ数−ＰＵＣＣＨ領域を構成するＲＢ数）の半数）／ＲＢＧサイズＰ）の余りに相当するＲＢだけずらす。具体的には、図１０に示すように、システム帯域を５０ＲＢとし、ＲＢＧサイズＰを３ＲＢとし、ＰＵＣＣＨ領域をシステム帯域の両端それぞれ３ＲＢ（つまり、合計６ＲＢ）とする場合について説明する。この場合、ＲＢＧ開始位置オフセットは、（（５０−６）／２）／３の余りである１ＲＢとなる。よって、基地局および端末は、図１０に示すように、ＲＢＧの開始位置をＰＵＣＣＨ領域の周波数位置（図１０ではＲＢ＃２）からＲＢＧ開始位置オフセット（１ＲＢ）だけずらす。そして、基地局および端末は、ＲＢ＃４から順に３ＲＢ毎にグループ化してＲＢＧ＃０〜＃１５を設定する。この場合でも、図１０に示すように、本実施の形態と同様、複数のサブバンド間のすべての境界は、複数のＲＢＧ間の境界のいずれかと一致する。さらに、図１０では、ＰＵＣＣＨ領域においてＲＢＧが設定されることを防ぐことができる。なお、ＲＢＧ開始位置オフセットとして、（（（（システム帯域を構成するＲＢ数−ＰＵＣＣＨ領域を構成するＲＢ数）の半数）／ＲＢＧサイズＰ）の余り）＋（ＲＢＧサイズＰの倍数）を用いてもよい。
【０１０６】
また、上記図９および図１０では、ＲＢＧ開始位置オフセットが固定の場合について説明した。しかし、本発明では、基地局は、複数のＲＢＧ開始位置オフセットを保持し、複数のＲＢＧ開始位置オフセットからいずれか１つを選択し、選択したＲＢＧ開始位置オフセットを端末へ通知すればよい。
【０１０７】
また、本発明において、ＲＢＧ開始位置オフセットとしては、０ＲＢ以上ＲＢＧサイズＰ未満の取り得るすべての値（つまり、Ｐ種類）を用いてもよい。これにより、基地局は、ＲＢＧの開始位置をＲＢＧサイズ分だけ調整することができる。つまり、基地局は、ＲＢＧをいずれの周波数位置にも設定することが可能となる。そのため、基地局は、複数のサブバンド間の境界がいずれの場合でも、ＲＢＧ開始位置オフセットを調整することにより、複数のＲＢＧ間の境界のいずれかをサブバンドの境界と確実に一致させることができる。よって、基地局は、複数のサブバンド間の境界がいずれの場合でも、本実施の形態と同様にして、周波数ホッピング端末に対するリソース割当の柔軟性を向上させることができる。
【０１０８】
また、ＬＴＥでは、ＰＵＣＣＨ領域はシステム帯域内の両端に割り当てられ、ＰＵＣＣＨ領域の帯域幅は、上り回線の制御情報量に応じて変更される。すなわち、Ｔｙｐｅ０割当における複数のＲＢＧのうち、両端のＲＢＧに含まれる一部のＲＢがＰＵＣＣＨ領域によって占有されてしまう可能性がある。つまり、基地局が複数のＲＢＧのうち両端のＲＢＧを非連続帯域割当対象端末に対して割り当てることができず、Ｔｙｐｅ０割当におけるリソース割当の柔軟性が低下してしまう課題がある。そこで、本発明では、基地局は、システム帯域において、周波数ホッピングが適用される帯域以外の帯域（つまり、ＰＵＣＣＨ割当可能領域）のうちＰＵＣＣＨ領域を除いた帯域を構成するＲＢを、ＲＢＧサイズＰ単位、または、ＲＢＧサイズＰと異なるＲＢＧサイズ単位で割り当ててもよい。つまり、基地局は、周波数ホッピングが適用される帯域以外の帯域（ＰＵＣＣＨ割当可能帯域）のうちＰＵＣＣＨ領域を除いた帯域では、一部のＲＢＧのＲＢＧサイズを変更してもよい（ＲＢＧサイズをＰより大きくしてもよく、ＲＢＧサイズをＰより小さくしてもよい）。
【０１０９】
以下、図１１に示すように、システム帯域を５０ＲＢとし、ＲＢＧサイズＰを３ＲＢとし、ＰＵＣＣＨ領域をシステム帯域の両端それぞれ２ＲＢとする場合について説明する。なお、基地局は、複数のＲＢＧ開始位置オフセットを保持する。そして、基地局は、ＰＵＣＣＨ領域の帯域幅に対応する１つのＲＢＧ開始位置オフセットを選択し、選択したＲＢＧ開始位置オフセットを端末へ通知する。図１１では、基地局は、ＲＢＧ開始位置オフセットを２ＲＢとする。
【０１１０】
図１１に示すように、基地局は、選択したＲＢＧ開始位置オフセットに関わらず、本実施の形態と同様にして、周波数ホッピングが適用される帯域（図１１に示すＲＢ＃７〜＃４２）において、ＲＢＧの境界をサブバンドの境界と一致させる。また、基地局は、周波数ホッピングが適用される帯域以外の帯域であるＰＵＣＣＨ割当可能領域（図１１に示すＲＢ＃０〜ＲＢ＃６、ＲＢ＃４３〜ＲＢ＃４９）のうち、ＰＵＣＣＨ領域（図１１に示すＲＢ＃０、＃１、＃４８、＃４９）以外の帯域を、周波数ホッピングが適用される帯域以外のＲＢＧ割当領域（以下、外部ＲＢＧ割当領域）とする。そして、基地局は、外部ＲＢＧ割当領域（図１１に示すＲＢ＃２〜＃６、ＲＢ＃４３〜＃４７）のＲＢ数に基づいて、外部ＲＢＧ割当領域におけるＲＢＧサイズを調整する。具体的には、基地局は、図１１に示すように、外部ＲＢＧ割当領域であるＲＢ＃２〜＃６の５ＲＢをＲＢＧサイズＰまたはＲＢＧサイズＰと異なるＲＢＧサイズ毎にグループ化して、ＲＢＧサイズＰ（＝３ＲＢ）のＲＢＧ＃１およびＲＢＧサイズが２ＲＢ（＜Ｐ）のＲＢＧ＃０を設定する。同様に、基地局は、図１１に示すように、外部ＲＢＧ割当領域であるＲＢ＃４３〜＃４７の５ＲＢをグループ化して、ＲＢＧサイズＰ（＝３ＲＢ）のＲＢＧ＃１４およびＲＢＧサイズが２ＲＢ（＜Ｐ）のＲＢＧ＃１５を設定する。
【０１１１】
つまり、図１１では、基地局は、Ｔｙｐｅ０割当のリソース割当対象であるＲＢＧ＃０〜＃１５のうち、両端のＲＢＧ＃０およびＲＢＧ＃１５のＲＢＧサイズを、ＲＢＧサイズＰよりも小さいサイズに変更する。これにより、図１１に示すように、基地局は、Ｔｙｐｅ０割当における両端のＲＢＧがＰＵＣＣＨ領域によって占有されることを防ぐことができる。これにより、システム帯域全体のうちＰＵＣＣＨ領域以外のすべての帯域（図１１では、ＲＢ＃２〜＃４７）を、非連続帯域割当対象端末に対して割り当てることが可能となる。
【０１１２】
換言すると、基地局は、Ｔｙｐｅ０割当のリソース割当対象であるＲＢＧ＃０〜＃１５のうち、周波数ホッピングが適用される帯域以外の帯域（外部ＲＢＧ割当領域）に設定されるＲＢＧ＃０およびＲＢＧ＃１５のＲＢＧサイズを変更する。これにより、図１１に示すように、周波数ホッピングが適用される帯域（ＲＢ＃７〜＃４２）では、サブバンドの帯域幅はＲＢＧサイズＰの自然数倍（３倍）となり、かつ、複数のサブバンド間すべての境界は複数のＲＢＧ間の境界のいずれかと一致する。よって、ＲＢＧのＲＢＧサイズを変更する場合でも、図１１に示す周波数ホッピングが適用される帯域（ＲＢ＃７〜＃４２）では、本実施の形態と同様の効果を得ることができる。
【０１１３】
また、図１１において外部ＲＢＧ割当領域のうち、ＲＢＧサイズを変更したＲＢＧ（図１１に示すＲＢＧ＃０、＃１５）に含まれるＲＢは、上記図１０におけるＲＢＧ開始位置オフセットに相当するＲＢ（図１０ではＲＢ＃３の１ＲＢ）と等価である。すなわち、基地局は、図１０において、ＲＢＧ開始位置オフセットに相当するＲＢを１つのＲＢＧとして設定してもよい。
【０１１４】
また、図１１では、一例として、基地局が、外部ＲＢＧ割当領域において、ＲＢＧサイズを減少させてＲＢＧを設定する場合について説明した。しかし、本発明では、基地局は、外部ＲＢＧ割当領域において、ＲＢＧサイズを増加させてＲＢＧを設定してもよい。例えば、基地局は、図１１において、外部ＲＢＧ割当領域であるＲＢ＃２〜＃６（またはＲＢ＃４３〜＃４７）をグループ化して、ＲＢサイズが５ＲＢ（＞ＲＢＧサイズＰ）の１つのＲＢＧを設定してもよい。
【０１１５】
また、本実施の形態では、サブバンドの帯域幅がＲＢＧサイズＰの自然数倍となる場合について説明した。しかし、本発明では、サブバンドの帯域幅がＲＢＧサイズＰの自然数倍に設定されるか否かに関わらず、ＲＢＧの境界を、サブバンドの帯域幅がＲＢＧサイズＰの自然数倍となる場合のサブバンドの境界に常に一致させてもよい。これにより、基地局および端末は、同一のＴｙｐｅ０割当のフォーマットを常に用いることができる。そして、基地局および端末は、サブバンドの帯域幅を制御することにより、本発明を適用するか否かを選択することができる。
【０１１６】
（実施の形態３）
本実施の形態では、基地局および端末は、Ｔｙｐｅ０割当におけるＲＢＧのフォーマットを、周波数ホッピングにおけるサブバンド単位で定義する。
【０１１７】
以下、本実施の形態について具体的に説明する。
【０１１８】
本実施の形態に係る基地局１００（図３）において、スケジューリング部１１０の設定部１１０１は、ＰＵＣＣＨ割当可能領域、および、周波数ホッピングが適用される帯域を構成する複数のサブバンドの数を設定し、周波数ホッピングが適用される帯域およびサブバンドの帯域幅を決定する。ただし、周波数ホッピングが適用される帯域を分割して得られるサブバンドの帯域幅は、Ｔｙｐｅ０割当におけるＲＢＧサイズＰの自然数倍となってもよく、ＲＢＧサイズＰの自然数倍とならなくてもよい。つまり、設定部１１０１は、ＰＵＣＣＨ割当可能領域およびサブバンド数を任意の値に設定する。
【０１１９】
スケジューリング部１１０の割当部１１０２は、設定部１１０１で決定されるサブバンドの帯域幅に相当するＲＢ数と一致する、Ｔｙｐｅ０割当におけるＲＢＧのフォーマットを定義する。例えば、割当部１１０２は、サブバンドの帯域幅に相当する数のＲＢを、ＲＢＧサイズＰ毎にグループ化することで、ＲＢＧのフォーマットを定義する。なお、サブバンドの帯域幅がＲＢＧサイズＰの自然数倍である場合には、割当部１１０２は、（サブバンドの帯域幅／ＲＢＧサイズＰ）個のＲＢＧで構成されるフォーマットを定義する。一方、サブバンドの帯域幅がＲＢＧサイズＰの自然数倍でない場合には、割当部１１０２は、サブバンドの帯域幅に合わせて、複数のＲＢＧのうち一部のＲＢＧのＲＢＧサイズを変更して、フォーマットを定義する。例えば、割当部１１０２は、ＲＢＧサイズＰを有する、（サブバンドの帯域幅／ＲＢＧサイズＰ）の商と同数のＲＢＧと、（サブバンドの帯域幅／ＲＢＧサイズＰ）の余りと同数のＲＢＧサイズを有する１つのＲＢＧとからなるフォーマットを定義する。
【０１２０】
また、割当部１１０２は、定義したフォーマットをシステム帯域の先頭の周波数位置から順に繰り返すことにより、システム帯域全体に渡って複数のＲＢＧを設定する。そして、割当部１１０２は、実施の形態１と同様にして、非連続帯域割当対象端末装置に対して、システム帯域を構成する複数のＲＢをＲＢＧ単位で割り当てる。
【０１２１】
一方、本実施の形態に係る端末２００（図４）において、割当ＲＢ決定部２０８は、実施の形態１と同様にして、自端末に対するリソース割当が非連続帯域割当の場合（つまり、端末２００が非連続帯域割当対象端末の場合）、復号部２０４から入力されるリソース割当情報（ビットマップ）に基づいて、自端末に割り当てられたＲＢ（割当ＲＢ）を決定する。ただし、割当ＲＢ決定部２０８は、本実施の形態に係る割当部１１０２と同様、サブバンドの帯域幅に相当するＲＢ数と一致する、Ｔｙｐｅ０割当におけるＲＢＧのフォーマットを定義し、定義したフォーマットをシステム帯域の先頭の周波数位置から順に繰り返すことにより、システム帯域全体に渡って複数のＲＢＧを設定する。
【０１２２】
次に、本実施の形態に係る基地局１００（図３）および端末２００（図４）の動作について詳細に説明する。
【０１２３】
以下の説明では、図１２に示すように、システム帯域の帯域幅を実施の形態１（図５）と同様、５０ＲＢ（例えば、１０ＭＨｚ）とする。また、Ｔｙｐｅ０割当におけるＲＢＧサイズＰを３ＲＢとする。
【０１２４】
また、基地局１００のスケジューリング部１１０の設定部１１０１は、ＰＵＣＣＨ割当可能領域を３ＲＢとし、サブバンドの数を４個とする。よって、設定部１１０１は、周波数ホッピングが適用される帯域を４４ＲＢ（＝５０ＲＢ−（３ＲＢ×２））個のＲＢ（ＲＢ＃３〜＃４６）に設定する。また、設定部１１０１は、周波数ホッピングが適用される帯域（４４ＲＢ）を、帯域幅１１ＲＢの４個のサブバンド＃０〜＃３に均等に分割する。
【０１２５】
よって、割当部１１０２は、サブバンドの帯域幅に相当する１１ＲＢと一致するＲＢＧのフォーマットを定義する。例えば、図１２に示すように、割当部１１０２は、ＲＢＧサイズＰ＝３ＲＢに基づいて、ＲＢＧサイズがそれぞれ［３ＲＢ、３ＲＢ、３ＲＢ、２ＲＢ］である４個のＲＢＧで構成されるフォーマットを定義する。つまり、ここでは、図１２に示すように、割当部１１０２は、ＲＢＧサイズＰ＝３ＲＢを有する、３個（＝（サブバンドの帯域幅１１ＲＢ／ＲＢＧサイズ３ＲＢ）の商）のＲＢＧと、ＲＢＧサイズ２ＲＢ（＝（（サブバンドの帯域幅１１ＲＢ／ＲＢＧサイズ３ＲＢ）の余り）を有する１つのＲＢＧとからなるフォーマットを定義する。
【０１２６】
そして、図１２に示すように、割当部１１０２は、定義したフォーマットをシステム帯域の先頭の周波数位置ＲＢ＃０から順に繰り返すことにより、システム帯域全体に渡って複数のＲＢＧ＃０〜＃１５を設定する。つまり、図１２に示すように、ＲＢ＃０〜＃１０、ＲＢ＃１１〜＃２１、ＲＢ＃２２〜＃３２、ＲＢ＃３３〜＃４３のいずれにおいても、ＲＢＧサイズがそれぞれ［３ＲＢ、３ＲＢ、３ＲＢ、２ＲＢ］である４個のＲＢＧが設定される。換言すると、図１２に示すＲＢ＃０〜＃４３では、ＲＢＧサイズがそれぞれ［３ＲＢ、３ＲＢ、３ＲＢ、２ＲＢ］である４個のＲＢＧで構成されるフォーマットが、サブバンドの帯域幅（１１ＲＢ）間隔で繰り返し設定されている。なお、図１２では、定義したフォーマットにより設定されるＲＢＧ以外のＲＢＧとして、ＲＢＧ＃１６（ＲＢ＃４４〜＃４６）が設定されている。
【０１２７】
また、端末２００（図４）の割当ＲＢ決定部２０８は、自端末のリソース割当が非連続帯域割当の場合（端末２００が非連続帯域割当対象端末の場合）、割当部１１０２と同様にして、サブバンドの帯域幅に相当する１１ＲＢと一致するＲＢＧのフォーマットを定義する。
【０１２８】
例えば、図１２に示すように、基地局１００が、周波数ホッピング前（図１２に示すスロット＃１）に、周波数ホッピング端末ＵＥ＃１に対してＲＢ＃３、＃４（ＲＢＧ＃１の前半２ＲＢに相当）を割り当て、周波数ホッピング端末ＵＥ＃２に対してＲＢ＃２５、＃２６を割り当てる場合について説明する。この場合、周波数ホッピング後（図１２に示すスロット＃２）では、ＵＥ＃１は、ＲＢ＃１４、＃１５に割り当てられる。ここで、周波数ホッピング前におけるＲＢ＃３、＃４は、定義したフォーマットの先頭から２番目のＲＢＧであるＲＢＧ＃１の前半２ＲＢに相当する。また、周波数ホッピング後におけるＲＢ＃１４、＃１５は、定義したフォーマットの先頭から２番目のＲＢＧであるＲＢＧ＃５の後半２ＲＢに相当する。
【０１２９】
つまり、実施の形態１と同様、データ信号の送信帯域が複数のサブバンド毎に周波数ホッピング（図１２では１サブバンド分（１１ＲＢ）だけ周波数ホッピング）される場合でも、周波数ホッピング前にデータ信号が割り当てられるＲＢＧ内のＲＢの位置と、周波数ホッピング後にデータ信号が割り当てられるＲＢＧ内のＲＢの位置とが同一となる。すなわち、図１２において、ＵＥ＃１に対して周波数ホッピングの前後に割り当てられるＲＢは、フォーマット内の同一位置（ここでは２番目）に設定されたＲＢＧを占有する。図１２に示すＵＥ＃２についても同様である。換言すると、周波数ホッピング前後にデータ信号が割り当てられるＲＢの位置は、Ｔｙｐｅ０割当において、定義されたフォーマット長（図１２では１１ＲＢ）だけ離れた２つのＲＢＧ内の同一位置となる。
【０１３０】
つまり、周波数ホッピング前において１ＲＢＧのみを占有するように割り当てられたデータ信号は、周波数ホッピング後においても１ＲＢＧのみを占有して割り当てられる。これにより、周波数ホッピング前に周波数ホッピング端末に対して、Ｔｙｐｅ０割当における１ＲＢＧ内にＲＢが割り当てられる場合には、周波数ホッピング後においても複数のＲＢＧに跨ることなく、ＲＢＧの占有量を抑制することができる。
【０１３１】
このようにして、本実施の形態によれば、サブバンドの帯域幅と一致するＲＢ数から構成されるＲＢＧのフォーマットが定義される。これにより、Ｔｙｐｅ０割当におけるＲＢＧの構成がサブバンド間で同一となる。つまり、周波数ホッピング前後に１つの周波数ホッピング対象端末に割り当てられるＲＢは、Ｔｙｐｅ０割当において定義されたフォーマット長だけ離れたＲＢＧ内の同一位置のＲＢに相当する。そのため、周波数ホッピング端末に対して、１ＲＢＧ内のＲＢのみが周波数ホッピング前に割り当てられた場合には、実施の形態１と同様、周波数ホッピング後においても１ＲＢＧ内のＲＢのみが必ず割り当てられる。よって、本実施の形態によれば、実施の形態１と同様、周波数ホッピング端末による、Ｔｙｐｅ０割当におけるＲＢＧの占有量を抑制して、Ｔｙｐｅ０割当におけるリソース割当を柔軟に行うことができる。
【０１３２】
なお、本実施の形態では、システム帯域の先頭の周波数位置（図１２ではＲＢ＃０）から順にフォーマットを繰り返す場合について説明した。しかし、本発明では、図１３に示すように、実施の形態１と同様、基地局は、複数のＲＢＧ間の境界のいずれかを複数のサブバンド間のすべての境界と一致させてもよい。具体的には、図１３に示すように、基地局は、周波数ホッピングが適用される帯域の低周波数側の端の周波数位置であるＲＢ＃３から順に、定義したフォーマットを繰り返すことで、複数のＲＢＧを設定してもよい。換言すると、基地局は、サブバンドの帯域幅と同一の帯域幅を有するフォーマットを、各サブバンドが設定された周波数帯域と同一の周波数帯域に設定する。これにより、実施の形態２と同様にして、複数のＲＢＧ間の境界のいずれかを、複数のサブバンド間のすべての境界と一致させることができる。つまり、実施の形態２と同様、Ｔｙｐｅ０割当における各ＲＢＧが、周波数ホッピングにおける複数のサブバンドに相当するＲＢに跨って設定されることが無くなる。換言すると、基地局は、サブバンドに関する制約を考慮せずに、ＲＢＧに関する制約のみに従って周波数ホッピングが適用される帯域内のＲＢを割り当てることができる。すなわち、周波数ホッピング端末に対して割り当てることができるＲＢの制約を少なくすることができるため、周波数ホッピング端末に対して、リソース割当を柔軟に行うことができる。なお、図１３では、定義したフォーマットにより設定されるＲＢＧ以外のＲＢＧとして、ＲＢＧ＃０（ＲＢ＃０〜＃２）が設定されている。
【０１３３】
また、本実施の形態では、図１２および図１３に示すように、定義されるフォーマットを構成する４個のＲＢＧのＲＢＧサイズがそれぞれ［３ＲＢ、３ＲＢ、３ＲＢ、２ＲＢ］である場合について説明した。しかし、本発明では、定義されるフォーマットを構成するＲＢＧ数は４個に限らず、かつ、各ＲＢＧのＲＢＧ数はいずれの値でもよい。
【０１３４】
以上、本発明の各実施の形態について説明した。
【０１３５】
なお、上記実施の形態では、Ｔｙｐｅ０割当に従い、ＲＢＧ単位でＲＢを割り当てる場合について説明した。しかし、本発明では、Ｔｙｐｅ０割当に限らず、例えば、Ｐ個のＲＢ単位でＲＢを割り当てられるフォーマットを用いてもよい。また、本発明において、複数のＲＢをＰ［ＲＢ］単位で複数のＲＢＧにグループ化されていなくてもよく、ビットマップが対応するグループに含まれるＲＢ数を、基地局装置および端末装置が共有していればよい。
【０１３６】
また、本発明は、リソース割当時のスケジューリングの柔軟性を大幅に改善することが期待できる、システム帯域の帯域幅が比較的広い場合（例えば、システム帯域の帯域幅が１０ＭＨｚ、２０ＭＨｚの場合）についてのみ適用してもよい。また、システム帯域の帯域幅が比較的狭い場合（例えば１０ＭＨｚ未満）には本発明を適用しないのに対し、システム帯域の帯域幅が比較的広い場合（例えば１０ＭＨｚ以上）には本発明を必ず適用してもよい。
【０１３７】
また、上記実施の形態では、本発明をハードウェアで構成する場合を例にとって説明したが、本発明はソフトウェアで実現することも可能である。
【０１３８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１４０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４１】
２００９年８月７日出願の特願２００９−１８４６９８の日本出願に含まれる明細書、図面および要約書の開示内容は、すべて本願に援用される。
【産業上の利用可能性】
【０１４２】
本発明は、データ信号を非連続帯域割り当てる無線通信システムにおける無線通信装置及び無線通信方法等として有用である。
【符号の説明】
【０１４３】
１００  基地局
２００  端末
１０１，２０６  符号化部
１０２，２０７  変調部
１０３，２１１  送信ＲＦ部
１０４，２０１  アンテナ
１０５，２０２  受信ＲＦ部
１０６  分離部
１０７，１１１  ＤＦＴ部
１０８，１１２  デマッピング部
１０９  伝搬路推定部
１１０  スケジューリング部
１１０１  設定部
１１０２  割当部
１１３  周波数領域等化部
１１４  ＩＦＦＴ部
１１５，２０３  復調部
１１６，２０４  復号部
１１７  誤り検出部
２０５  ＣＲＣ部
２０８  割当ＲＢ決定部
２０９  ＲＢ割当部
２１０  多重化部
【図１】
0005580315.tif 000002
【図２】
0005580315.tif 000003
【図３】
0005580315.tif 000004
【図４】
0005580315.tif 000005
【図５】
0005580315.tif 000006
【図６】
0005580315.tif 000007
【図７】
0005580315.tif 000008
【図８】
0005580315.tif 000009
【図９】
0005580315.tif 000010
【図１０】
0005580315.tif 000011
【図１１】
0005580315.tif 000012
【図１２】
0005580315.tif 000013
【図１３】
0005580315.tif 000014